(57)【特許請求の範囲】
【請求項１】
液晶表示手段と、
上記液晶表示手段の背後に設けられたバックライト手段と、
上記バックライト手段の明るさをそのままの明るさとするか低くするかを決定する制御データ値と、
電源のオン／オフ手段と、
上記電源がオフとなってからの時間を測定する測定手段と、
上記測定手段により測定される時間が一定時間経過したときに、上記制御データ値を明るさを低くする値に変更する変更手段と、
上記電源がオフからオンとなったとき上記制御データ値に従って上記バックライト手段の制御をおこなう制御手段と
を設けたことを特徴とする液晶表示装置。
【請求項２】
液晶表示手段と、
上記液晶表示手段の背後に設けられたバックライト手段と、
上記バックライト手段の明るさをそのままの明るさとするか低くするかを決定する制御データ値と、
電源のオン／オフ手段と、
上記電源がオフとなってからの時間を測定する測定手段と、
上記測定手段により測定される時間が一定時間経過したときに、上記制御データ値を明るさを低くする値に変更する変更手段と、
上記バックライト手段の明るさを操作者が設定する設定手段と、
上記電源がオフからオンとなったとき、上記設定手段の設定に関わらず、上記制御データ値に従って上記バックライト手段の制御をおこなう制御手段と
を設けたことを特徴とする液晶表示装置。
【請求項３】
ビデオカメラの撮像画像を表示する液晶モニタと、
上記液晶モニタの背後に設けられたバックライト手段と、
上記バックライト手段の明るさをそのままの明るさとするか低くするかを決定する制御データ値と、
上記ビデオカメラの電源のオン／オフ手段と、
上記電源がオフとなってからの時間を測定する測定手段と、
上記測定手段により測定される時間が一定時間経過したときに、上記制御データ値を明るさを低くする値に変更する変更手段と、
上記電源がオフからオンとなったとき上記制御データ値に従って上記バックライト手段の制御をおこなう制御手段と
を設けたことを特徴とするビデオカメラ。
【請求項４】
請求項３において、上記ビデオカメラをスタンバイ状態にするスタンバイスイッチを備え、上記スタンバイスイッチが上記ビデオカメラをスタンバイ状態に設定されている際には、上記変更手段は、上記制御データ値を変えないことを特徴とするビデオカメラ。
【請求項５】
ビデオカメラの撮像画像を表示する液晶モニタと、
上記液晶モニタの背後に設けられたバックライト手段と、
上記バックライト手段の明るさをそのままの明るさとするか低くするかを決定する制御データ値と、
上記ビデオカメラの電源のオン／オフ手段と、
上記電源がオフとなってからの時間を測定する測定手段と、
上記測定手段により測定される時間が一定時間経過したときに、上記制御データ値を明るさを低くする値に変更する変更手段と、
上記バックライト手段の明るさを操作者が設定する設定手段と、
上記電源がオフからオンとなったとき、上記設定手段の設定に関わらず、上記制御データ値に従って上記バックライト手段の制御をおこなう制御手段と
を設けたことを特徴とするビデオカメラ。
【発明の詳細な説明】
【０００１】
【発明の属する技術分野】
本発明は、液晶表示装置、ビデオカメラ及びコンピュータ読み取り可能な記憶媒体に関するものである。
【０００２】
【従来の技術】
従来、液晶モニタ付きのビデオカメラにおいて、液晶モニタには背後にバックライトとなる蛍光管を置いていて、液晶モニタの視認性の向上をはかるようにしている。
【０００３】
また、バックライトとなる蛍光管に流れる電流を制御してバックライトの消費電流を可変することにより、バックライトの明るさを可変するようにしており、バックライトを明るくすると消費電流は大となり、バックライトを暗くすると消費電流は小となる。即ち、ビデオカメラ本体の消費電力としては、バックライトを明るくすると消費電力は大となり、バックライトを暗くすると消費電力は小となる。
【０００４】
また、ビデオカメラの操作者による操作により、バックライトの明るさを上記のように制御して可変設定することが可能である。これは操作者が使用する環境に応じて、屋外のような外光がある環境下では、視認性をよくするためにバックライトを明るくし、屋内のような外光が小となる環境下では、バックライトを暗くするためである。また、上記操作によるバックライトの設定された明るさは、ビデオカメラ本体の電源オン／オフ操作により記憶されるか、又は機器固有の値となる。
【０００５】
【発明が解決しようとする課題】
しかしながら、上記従来例では、ビデオカメラの操作者自身によりバックライトの明るさを切り替えなければならず、このため蛍光管を明るい方向に設定したまま切り替えを忘れたような場合は、ビデオカメラ本体の消費電力が増大したままになってしまうということがあった。
【０００６】
本発明は、操作者によるバックライトの明るさの設定の切り替えを行うことなく、消費電力の低減を行うことを目的とする。
【０００７】
【課題を解決するための手段】
本発明による液晶表示装置においては、液晶表示手段と、上記液晶表示手段の背後に設けられたバックライト手段と、上記バックライト手段の明るさをそのままの明るさとするか低くするかを決定する制御データ値と、電源のオン／オフ手段と、上記電源がオフとなってからの時間を測定する測定手段と、上記測定手段により測定される時間が一定時間経過したときに、上記制御データ値を明るさを低くする値に変更する変更手段と、上記電源がオフからオンとなったとき上記制御データ値に従って上記バックライト手段の制御をおこなう制御手段とを設けたことを特徴としている。
【０００８】
本発明による他の液晶表示装置においては、液晶表示手段と、上記液晶表示手段の背後に設けられたバックライト手段と、上記バックライト手段の明るさをそのままの明るさとするか低くするかを決定する制御データ値と、電源のオン／オフ手段と、上記電源がオフとなってからの時間を測定する測定手段と、上記測定手段により測定される時間が一定時間経過したときに、上記制御データ値を明るさを低くする値に変更する変更手段と、上記バックライト手段の明るさを操作者が設定する設定手段と、上記電源がオフからオンとなったとき、上記設定手段の設定に関わらず、上記制御データ値に従って上記バックライト手段の制御をおこなう制御手段とを設けたことを特徴としている。
【０００９】
本発明によるビデオカメラにおいては、ビデオカメラの撮像画像を表示する液晶モニタと、上記液晶モニタの背後に設けられたバックライト手段と、上記バックライト手段の明るさをそのままの明るさとするか低くするかを決定する制御データ値と、上記ビデオカメラの電源のオン／オフ手段と、上記電源がオフとなってからの時間を測定する測定手段と、上記測定手段により測定される時間が一定時間経過したときに、上記制御データ値を明るさを低くする値に変更する変更手段と、上記電源がオフからオンとなったとき上記制御データ値に従って上記バックライト手段の制御をおこなう制御手段とを設けたことを特徴としている。
【００１０】
本発明による他のビデオカメラにおいては、ビデオカメラの撮像画像を表示する液晶モニタと、上記液晶モニタの背後に設けられたバックライト手段と、上記バックライト手段の明るさをそのままの明るさとするか低くするかを決定する制御データ値と、上記ビデオカメラの電源のオン／オフ手段と、上記電源がオフとなってからの時間を測定する測定手段と、上記測定手段により測定される時間が一定時間経過したときに、上記制御データ値を明るさを低くする値に変更する変更手段と、上記バックライト手段の明るさを操作者が設定する設定手段と、上記電源がオフからオンとなったとき、上記設定手段の設定に関わらず、上記制御データ値に従って上記バックライト手段の制御をおこなう制御手段とを設けたことを特徴としている。
【００１７】
【発明の実施の形態】
図１は、本発明によるビデオカメラの構成を示すブロック図である。図１において、１は被写体像を入力するレンズ、２はレンズ１からの入力を撮像信号に変換するＣＣＤ、３は撮像信号をＡＥ等の処理を行いデジタルビデオ信号に変換するカメラ信号処理部、４はカメラ信号処理部３からのビデオ信号を回転ヘッドを有するＶＴＲメカ部１２により磁気テープに記録又は磁気テープを再生してライン出力部５及び液晶モニタ７へ信号出力するためのビデオ信号処理部、５はビデオ信号処理部４からの信号をライン出力するためのライン出力部、６はビデオ信号処理部４からの信号を液晶モニタ７へ出力するモニタ制御部である。
【００１８】
７はモニタ制御部６からの画像信号を表示する液晶モニタ、８は液晶モニタ７のバックライト部を制御するバックライト制御部、９は液晶モニタ７を視認しやすくするための液晶モニタ７のバックライト部、１０はカメラ全体を制御するＣＰＵを含むシステム制御部、１１はビデオカメラの操作者が操作する操作部、１２はビデオ信号処理部４からの画像信号を記録再生するＶＴＲメカ部、１３はビデオカメラ本体の電源であるバッテリ（図示せず）を検出して減電状態か否かを検出する電源検出部である。
【００１９】
１４はシステム制御部１０による後述する図２、６、７に示すフローチャートの各処理を含む処理を実行するためのプログラムやデータを記憶する記憶媒体である。この記憶媒体は、不図示の駆動装置により駆動される。なお、この駆動装置自体は、周知であるので説明を省略する。また、この記憶媒体としては、半導体メモリ、光ディスク、光磁気ディスク、磁気媒体を用いてよく、これらをＲＯＭ、ＲＡＭ、メモリカード、フロッピディスク、磁気カード等に構成して用いてよい。
【００２０】
次に、動作について説明する。
【００２１】
図２は、第１の実施の形態による動作を示すフローチャートであり、図２に沿って説明する。
【００２２】
まず、操作部１１に含まれる図３に示すような電源スイッチの状態からビデオカメラ本体の電源モードがオンかオフかをシステム制御部１０が判別する（ステップＳ５０１）。電源モードがオフの場合は、記憶媒体１４に記憶にされている液晶モニタ７のバックライト制御データ値を消費電力が小さくなる省エネデータにして、そのデータを記憶媒体１４に記憶する（ステップＳ５０２）。
【００２３】
電源モードがオンの場合は、操作者による操作部１１の操作により、図４に示すような文字表示メニューによるバックライト設定モードか否かを判別する（ステップＳ５０３）。設定モードの場合は、図４のメニューによる設定とするために記憶媒体１４に記憶されている液晶モニタ７のバックライト制御データ値を更新する（ステップＳ５０４）。次に、記憶媒体１４に記憶されている上記更新されたバックライト制御データ値を読み出す。また、設定モードでない場合は、ステップＳ５０２で記憶した省エネデータを読み出す（ステップＳ５０５）。
【００２４】
次に、システム制御部１０は、バックライト部９の明るさの制御を次のように行う。図５はバックライト制御部９を示すブロック図であり、バックライト蛍光管９１に流れる電流を制御することにより、明るさ制御を行うものである。
【００２５】
まず、ビデオカメラ本体からの電源よりインバータ回路９２を通してバックライト蛍光管９１に電源が供給される。バックライト蛍光管９１に流れる電流を制御するため、バックライト蛍光管９１からのフィードバック電圧とシステム制御部１０により可変設定された基準電圧とを比較器９３で比較し、その比較出力をインバータ回路９２にフィードバックする。システム制御部１０は、基準電圧をコントロールすることにより、インバータ回路９２の出力を可変させて、バックライト蛍光管９１に流れる電流の制御を行う。即ち、設定データが“省エネ”とされた場合は、バックライト蛍光管９１に流れる電流を小さくするように制御し、設定データが“アカルイ”とされた場合は、バックライト蛍光管９１に流れる電流を大きくするように制御する（ステップＳ５０６）。
【００２６】
第１の実施の形態によれば、ビデオカメラ本体の電源が操作者によりオフ状態からオン状態になると、常に液晶モニタ７のバックライトの消費電力を小とするモードに制御するため、操作者による上記設定の切り替えを行わなければならないという問題を解決して、操作性を向上することができると共に、低消費電力化が図れる。
【００２７】
次に、本発明の第２の実施の形態を説明する。この第２の実施の形態は、前述した第１の実施の形態に対して、電源スイッチがオフの場合に、その時間を計測してその後の処理を決定する点が加わっている。
【００２８】
図６は、第２の実施の形態による動作を示すフローチャートである。
【００２９】
まず、図３に示す電源スイッチがオンかオフかを判別し（ステップＳ６０１）電源モードがオフの場合は、オフ状態のまま一定時間経過したかどうかを計測するため、タイマが起動しているかどうかを判別する（ステップＳ６０２）。
【００３０】
タイマが起動していない場合は、上記一定時間でオーバーフローするような値をタイマにセットして起動させる（ステップＳ６０３）。そしてオフ状態のまま一定時間経過したかどうかを計測するためタイマをカウントアップし（ステップＳ６０４）、タイマがカウントアップすることによるオーバーフローが発生しているか否かを判別する（ステップＳ６０５）。
【００３１】
上記一定時間経過によるオーバーフローが発生した場合は、記憶媒体１４に記憶されている液晶モニタ７のバックライト制御データ値を消費電力が小さくなる省エネデータとして記憶媒体１４に記憶する。
【００３２】
電源モードがオンの場合は、操作者による操作部１１の操作により図４に示す文字表示メニューによるバックライト設定モードか否かを判別する（ステップＳ６０７）。設定モードの場合は、図４に示す設定とするために、記憶媒体１４に記憶されている液晶モニタ７のバックライト制御データ値を更新する（ステップＳ６０８）。次に、記憶媒体１４に記憶されている上記更新されたバックライト制御データ値を読み出す。また、設定モードでない場合は、ステップＳ６０６で記憶した省エネデータを読み出す（ステップＳ６０９）。次に、液晶バックライト部９の明るさの制御を行う。これは図５のバックライト制御部９により、第１の実施の形態と同様に行われる。
【００３３】
第２の実施の形態によれば、第１の実施の形態で得られる効果に加え、以下の効果を有する。すなわち、ビデオカメラ本体の電源が、操作者によりオフ状態のまま一定時間経過した後、オン状態となった場合のみ、液晶モニタ７のバックライトの消費電力を小とするモードとなるように制御するため、一定時間が経過しない頻繁なオンからオフ、又はオフからオンの動作を行っても、操作者により操作されたバックライトの明るさ設定はそのままであるため、操作性が向上する。また、一定時間を経過した場合のみ、液晶モニタ７のバックライトの消費電力を小とするモードとなるように制御するため、操作者による上記設定の切り替えを行わなければならないという問題を解決して、操作性の向上をはかることができると共に、低消費電力化が図れる。
【００３４】
次に、本発明の第３の実施の形態について説明する。この第３の実施の形態は、前述した第１の実施の形態に対して、バッテリの減電状態を検出してその後の処理を決定する点が加わっている。
【００３５】
図７は、第３の実施の形態による動作を示すフローチャートである。
【００３６】
図３に示す電源スイッチがオンかオフかを判別し（ステップＳ７０１）、電源モードがオフの場合は、ビデオカメラが減電状態となったことにより、液晶モニタ７のバックライトの消費電力を小さくする制御を行ったか否かを示すＦＬＡＧを“１”に初期化する（ステップＳ７０２）。
【００３７】
電源モードがオンの場合は、ビデオカメラが減電状態となったことにより、上記ＦＬＡＧが“１”又は“０”かを判別する（ステップＳ７０３）。ＦＬＡＧが“１”であった場合は電源検出部１３により電源供給源であるバッテリの状態検出を行い（ステップＳ７０４）、検出により、バッテリ電圧が減電状態か否かの判別を行う（ステップＳ７０５）。
【００３８】
減電状態の場合、記憶媒体１４に記憶されている液晶モニタ７のバックライト制御データ値を消費電力が小さくなるデータとして記憶媒体１４に記憶する（ステップＳ７０６）、そしてシステム制御部１０は、ビデオ信号処理部４を通して液晶モニタ７又はライン出力部５からの出力により、図８に示すように減電警告表示を行う（ステップＳ７０７）。
【００３９】
次に、ビデオカメラが減電状態となったことにより、液晶モニタ７のバックライトの消費電力を小さくする制御を行ったか否かを示すＦＬＡＧを“０”として記憶媒体１４に記憶する（ステップＳ７０８）。バッテリが通常状態で、かつ減電状態でバックライトの消費電力を小さくする制御を行っていないとき（ＦＬＡＧ＝１）は、操作者による操作により、図４に示す文字表示メニューによるバックライト設定モードが否かを判別する（ステップＳ７０９）。
【００４０】
設定モードの場合は、図４の示す設定とするために、記憶媒体１４に記憶されている液晶モニタ７のバックライト制御データ値を更新する（ステップＳ７１０）。次に、記憶媒体１４に記憶されている上記更新されたバックライト制御データ値を読み出す。また、設定モードでない場合は、ステップＳ７０６で記憶した省エネデータを読み出す（ステップＳ７１１）。次に、図５のバックライト部９において前述と同様にして明るさの制御を行う。
【００４１】
第３の実施の形態によれば、第１の実施の形態で得られる効果に加え、以下の効果を有する。すなわち、ビデオカメラ本体の電源が、ビデオカメラ操作者によりオフ状態からオン状態となり、かつ減電状態か否かを検出して減電となった場合のみ、液晶モニタ７のバックライトの消費電力を小とするモードとし、電源が正常状態の場合は、操作者により操作されたバックライトの明るさ設定はそのままとするため、操作性が向上する。また、一定時間を経過した場合のみ、液晶モニタ７のバックライトの消費電力を小とするモードとするため、操作者による前記設定の切り替えを行わなければならないという問題を解決して操作性の向上が図られると共に低消費電力化が図れる。
【００４２】
次に説明する第４、第５、第６の実施の形態は、それぞれ第１、第２、第３の実施の形態に対して、電源モードのオン／オフを判断する前にスタンバイモードのオン／オフを判断する処理が加わっている。
【００４３】
図９、図１０、図１１は、それぞれ第４、第５、第６の実施の形態による動作を示すフローチャートである。
【００４４】
これら第４、第５、第６の実施の形態においては、まず、操作部１１に含まれるスタンバイスイッチ（図１２参照）がスタンバイモードになっているか否かをシステム制御部１０が判別する（ステップＳ９０１、Ｓ１００１、Ｓ１１０１）。そして、スタンバイモードになっているときは、第４、第５の実施の形態においては、以降の処理をせず、スタートに戻る。第６の実施の形態においては、システム制御部１０は、ビデオカメラが減電状態となったことにより、液晶モニタ７のバックライトの消費電力を小さくする制御を行ったか否かを示すＦＬＡＧを“０”として初期化し（ステップＳ１１０２）、以降の処理を行わず、スタートに戻る。
【００４５】
一方、スタンバイモードでないと判断されたときには、第４、第５、第６の実施の形態は、それぞれ第１、第２、第３の実施の形態と同様の動作が実行される。すなわち、図９に示されるステップＳ９０２〜Ｓ９０７の処理は、図２に示されるステップＳ５０１〜Ｓ５０６の処理に相当し、図１０に示されるステップＳ１００２〜Ｓ１０１１の処理は、図６に示されるステップＳ６０１〜Ｓ６１０の処理に相当し、図１１に示されるステップＳ１１０３〜Ｓ１１１４の処理は、図７に示されるステップＳ７０１〜Ｓ７１２の処理に相当する。
【００４６】
以上説明した、第４、第５の実施の形態によれば、ビデオカメラがスタンバイモード時は、バックライトの設定を可変させないため、操作者の操作性の向上が図れるとともに、ビデオカメラの低消費電力化が図れる。また、ビデオカメラがスタンバイモードでないときは、それぞれ第１、第２の実施形態と同様の効果が得られる。
【００４７】
一方、第６の実施の形態によれば、ビデオカメラがスタンバイモード時は、第４、第５の実施の形態のスタンバイモード時と同様の効果が選られ、スタンバイモードからスタンバイモードを解除して電源をオンとしたときも、明るさ設定はそのままとしたので、操作者による設定の切り替えを行う必要はなく、操作性の向上が図れるとともに、ビデオカメラの低消費電力化が図れる。また、ビデオカメラがスタンバイモードでないときは、それぞれ第３の実施形態と同様の効果が得られる。
【００４８】
【発明の効果】
以上の説明から明らかなように、発明によれば、操作者による明るさの設定の切り替えを行う必要がないので、操作性の向上を図ることができると共に、装置の低消費電力化を図ることができる。
【図面の簡単な説明】
【図１】本発明の実施の形態によるビデオカメラの構成図である。
【図２】本発明の第１の実施の形態の動作を示すフローチャートである。
【図３】電源スイッチの構成図である。
【図４】メニュー表示例を示す構成図である。
【図５】バックライト制御部の構成図である。
【図６】第２の実施の形態の動作を示すフローチャートである。
【図７】第３の実施の形態の動作を示すフローチャートである。
【図８】警告表示例を示す構成図である。
【図９】第４の実施の形態の動作を示すフローチャートである。
【図１０】第５の実施の形態の動作を示すフローチャートである。
【図１１】第６の実施の形態の動作を示すフローチャートである。
【図１２】ビデオカメラのスタンバイモードを設定するためのスタンバイスイッチを示す図である。
【符号の説明】
６  モニタ制御部
７  液晶モニタ
８  バックライト制御部
９  液晶モニタバックライト制御部
１０  システム制御部
１１  操作部
１４  記憶媒体
【図１】
0003576851.tif 000002
【図２】
0003576851.tif 000003
【図３】
0003576851.tif 000004
【図４】
0003576851.tif 000005
【図５】
0003576851.tif 000006
【図６】
0003576851.tif 000007
【図７】
0003576851.tif 000008
【図８】
0003576851.tif 000009
【図９】
0003576851.tif 000010
【図１０】
0003576851.tif 000011
【図１１】
0003576851.tif 000012
【図１２】
0003576851.tif 000013